(57)【要約】【課題】キャップの紛失を防止すると共に、キャップの装着作業、保存、管理を行い易くする。【解決手段】各種内視鏡の電気コネクタを接続するために、複数のコネクタ受けがプロセッサ装置に配置されており、このコネクタ受けに装着するキャップとしての第１キャップ１８に、着脱自在に連結するための連結部２７を設け、この連結部に第２キャップ２０を嵌合連結し、第１キャップ１８と第２キャップ２０を一体として扱えるようにする。また、この第１キャップと第２キャップの連結手段として、面ファスナーや、紐等の線状部材を用いてもよい。更には、第１キャップと第２キャップを完全に一体にすることもできる。【選択図】図１
2009183357.tif 000002
【特許請求の範囲】
【請求項１】
各種内視鏡の電気コネクタが接続されるプロセッサ装置の複数のコネクタ受けに装着するキャップであって、
複数のキャップを連結手段により連結し、又は直接的に一体にした内視鏡コネクタ受け用キャップ。
【請求項２】
上記連結手段は、複数のキャップを着脱自在に連結することを特徴とする請求項１記載の内視鏡コネクタ受け用キャップ。
【発明の詳細な説明】
【技術分野】
【０００１】
本発明は内視鏡コネクタ受け用キャップ、特に固体撮像素子等の異なる各種の内視鏡をプロセッサ装置で使用可能にするため、これら内視鏡のコネクタを接続するプロセッサ装置の複数のコネクタ受けのキャップの構成に関する。
【背景技術】
【０００２】
内視鏡（電子内視鏡）装置では、照明された被観察体が内視鏡（スコープ）の先端部に搭載された例えば固体撮像素子であるＣＣＤ（Charge Coupled Device）で撮像され、このＣＣＤからの撮像信号をプロセッサ装置へ供給し、このプロセッサ装置にて所定の信号処理を施すことにより、消化器官等の被観察体画像がモニタに表示される。そして、この種の内視鏡装置では、固体撮像素子の種類や撮像方式の異なる複数の内視鏡がプロセッサ装置に接続できるように構成される。
【０００３】
ところで、従来の内視鏡装置では、プロセッサ装置に配置された２つのコネクタ受けの一方に内視鏡の電気コネクタが接続され、他方が露出状態となっていると、装置使用時に水分等がコネクタ受けの内部へ浸入し、電気的な安全性が低下すると共に、プロセッサ装置内の回路動作にも不具合が生じる場合がある。また、下記特許文献１でも指摘されているように、２つの内視鏡の両方がプロセッサ装置にコネクタ接続されると、映像信号の混在により映像が乱れるという不都合がある。
【０００４】
そこで、従来では、電気コネクタが接続されていないプロセッサ装置のコネクタ受けにキャップを取り付けるようにし、コネクタ受け内への水分等の浸入を防止すると共に、２つの内視鏡がコネクタ接続されないようにしている。
【特許文献１】特開平９−３０８６０６号公報
【特許文献２】特開平８−２４２０９号公報
【特許文献３】特開平９−３２７４３４号公報
【発明の開示】
【発明が解決しようとする課題】
【０００５】
しかしながら、従来の内視鏡コネクタ受け用キャップは、複数のコネクタ受けのそれぞれに対して設けられているため、複数のキャップの装着作業、保存、管理が煩雑となっている。即ち、プロセッサ装置では、異なる種類の内視鏡の誤った接続を回避することから、電気コネクタ及びコネクタ受けの形状を例えば角形、丸形というように異なる形状としており、キャップもこれらの形状に合わせたものが必要となる。従って、コネクタ受けの数だけキャップが存在し、装着しなければならないキャップを探したり、紛失したりすることが生じている。
【０００６】
本発明は上記問題点に鑑みてなされたものであり、その目的は、キャップの紛失を防止すると共に、キャップの装着作業、保存、管理の行い易い内視鏡コネクタ受け用キャップを提供することにある。
【課題を解決するための手段】
【０００７】
上記目的を達成するために、請求項１の発明は、各種内視鏡の電気コネクタが接続されるプロセッサ装置の複数のコネクタ受けに装着するキャップであって、複数のキャップを連結手段により連結し、又は直接的に（そのまま）一体にしたことを特徴とする。
請求項２の発明は、上記連結手段は、複数のキャップを着脱自在に連結することを特徴とする。
【０００８】
上記本発明の構成によれば、複数（例えば２つ）ある内の１つのキャップに、他のキャップを嵌着させて着脱自在にする嵌着連結部を設けたり、他のキャップを着脱自在に接着させる面ファスナー（連結部）を設けたりすることにより、複数のキャップを着脱自在に連結することができる。
【０００９】
また、複数のキャップを紐、ベルト、鎖等の曲げ自在な線状部材で連結するようにしてもよい。
更に、２つのキャップを背面部で合体させるようにして一体に形成してもよい。
【発明の効果】
【００１０】
本発明の内視鏡コネクタ受け用キャップによれば、複数のキャップが連結され又は一体となるので、１つのキャップを失くしたりすることがなく、キャップの装着作業、保存、管理が行い易くなるという効果がある。
【発明を実施するための最良の形態】
【００１１】
図１乃至図４には、第１実施例に係る内視鏡コネクタ受け用キャップの構成が示されており、この第１実施例は、着脱自在の嵌合連結部を設けたものである。まず、図４には、プロセッサ装置１０の構成が示されており、このプロセッサ装置１０の前面パネル部１０Ｐでは、例えばＡタイプ内視鏡１１の光学コネクタ１２を接続するためのコネクタ受け１３が配置されると共に、その電気コネクタ１４を接続するための角形のコネクタ受け１５が設けられ、またＢタイプ内視鏡の電気コネクタ（不図示）を接続するための丸形のコネクタ受け１６が設けられる。
【００１２】
図１乃至図３に示されるように、実施例では、Ａタイプ内視鏡１１の電気コネクタ１４と内部端子（接続端子）の構成が相違するが、差込み・固定に関する構造が同様となる角形の第１キャップ１８と、Ｂタイプ内視鏡の電気コネクタと内部端子の構造が相違するが、差込み・固定に関する構造が同様となる丸形の第２キャップ２０が設けられ、第１キャップ１８がコネクタ受け１５用、第２キャップ２０がコネクタ受け１６用として配置される。即ち、第１キャップ１８は、短絡結線された端子Ｔａ１，Ｔａ２を有しており、この端子Ｔａ１，Ｔａ２の短絡をプロセッサ装置１０の制御回路が判定することで、キャップ１８の接続が検出できるようになっている。同様に、第２キャップ２０でも、短絡結線されたピン端子Ｔｂ１，Ｔｂ２を有し、このピン端子Ｔｂ１，Ｔｂ２の短絡を制御回路が判定することで、キャップ２０の接続が検出できる。
【００１３】
また、第１キャップ１８には、操作部２２を押すことにより内部へ退避する係止爪２３が左右側面に設けられ、これによって、コネクタ受け１５に差し込んだ第１キャップ１８を、プロセッサ装置１０の筐体前面部へ固定することができる。一方、第２キャップ２０には、内周にＯリング等の係合リング部材２５が設けられ、この係合リング部材２５をコネクタ受け１６の外周に設けたＣリング等の弾性環状凸部等に係止することにより、コネクタ受け１６に差し込んだ第２キャップ２０を固定することができる。
【００１４】
そして、上記第１キャップ１８の背面（差込み口の反対面）に、第２キャップ２０の外形に嵌合する丸形溝を有するカップ状の連結部（嵌合連結部）２７が一体に設けられる。即ち、一体形成、接着剤による接合、或いはネジ等による固定等によって、連結部２７は第１キャップ１８と一体になる。この連結部２７の内周に、環状凸部２７ａが形成され、他方の第２キャップ２０の外周に、環状凹部２０ａが設けられており、この環状凹部２０ａと環状凸部２７ａの係合によって、第２キャップ２０は連結部２７に固定される。
【００１５】
このような第１実施例によれば、図１及び図３の状態から、連結部２７内に第２キャップ２０を嵌合させ、図２に示されるように、環状凹部２０ａを環状凸部２７ａに係止させれば、第１キャップ１８と第２キャップ２０が連結され、一体のものとして取り扱うことができる。そして、この場合は、図４に示されるように、連結状態で第２キャップ２０をコネクタ受け１６に装着することになり、使用しない第１キャップ１８を紛失することが防止される。また、第２キャップ２０は連結部２７から外し、それぞれのキャップ１８，２０を個別に使用することもでき、使用後は、一体にして保存、収納すれば、管理がし易くなる。
【００１６】
上記第１実施例では、上記連結部２７の代わりに、角形溝を有する嵌合連結部を第２キャップ２０側に配置し、第２キャップ２０側の連結部に第１キャップ１８を連結するようにしてもよい。
【００１７】
図５には、第２実施例の構成が示されており、この第２実施例は、面ファスナー［マジックテープ（登録商標）］を用いて連結部を構成したものである。図５に示される第１キャップ２８と第２キャップ３０の主な構造は、第１実施例と同様となっており、この第１キャップ２８の背面（差込み口の反対面）に面ファスナーの雌側テープ３２ａ、第２キャップ３０の背面に雄側テープ３２ｂが取付け固定される。
【００１８】
このような第２実施例によっても、雌側テープ３２ａと雄側テープ３２ｂで構成される面ファスナー連結部にて、第１キャップ２８と第２キャップ３０が着脱自在に連結され、これらを一体として使用し、又は分離して個別に使用することができる。また、一体としての装着作業、保存、収納ができ、管理がし易くなる。
【００１９】
図６には、第３実施例の構成が示されており、この第３実施例は、連結手段として線状部材を用いたものである。図６の第１キャップ３４と第２キャップ３５の主な構造は、第１実施例と同様となっており、この第１キャップ３４の背面側の左端又は右端のいずれか一方に、貫通孔を有する取付け部３４ａが形成され、また第２キャップ３５の背面に、半円リング状の取付け部３５ａが形成される。そして、この取付け部３４ａと３５ａに、紐、ベルト、鎖等の曲げ自在な線状部材３６の両端部（係合リング等）が取り付けられることにより、第１キャップ３４と第２キャップ３５が連結される。この第３実施例によっても、両方のキャップ３４，３５を一体的に取り扱うことができる。
【００２０】
図７及び図８には、第４実施例の構成が示されており、この第４実施例は、両キャップを直接的に（そのまま）一体にしたものである。図示のキャップ３８は、第１キャップ部３８ａと第２キャップ部３８ｂのそれぞれが背面部で合体される形で、一体形成、接着剤による接着固定、ネジ等の固定具による固定等によって完全一体にしたものである。それ以外の第１キャップ部３８ａと第２キャップ部３８ｂの構成は、第１実施例のキャップ１８と２０と同様となる。
【００２１】
このような第４実施例によれば、両キャップ部３８ａ，３８ｂを完全一体のものとして図４のそれぞれのコネクタ受け１５，１６に装着することができ、紛失することがなく、保存、収納も一体となり、管理が容易になる。
【００２２】
なお、実施例では、両キャップ（部）をその背面で連結、一体となるようにしたが、第１キャップ（部）の上下側面のいずれか一方に、第２キャップ（部）を連結、一体となるようにしてもよく、また実施例では、キャップが２つある場合を説明したが、３つ以上のキャップについても同様に適用することが可能である。
【図面の簡単な説明】
【００２３】
【図１】本発明の第１実施例に係る内視鏡コネクタ用キャップの構成を示す一部断面図である。
【図２】第１実施例において連結状態のキャップを示す一部断面図である。
【図３】第１実施例のキャップの斜視図である。
【図４】実施例に係るプロセッサ装置のコネクタ受けに第１実施例のキャップを装着するときの構成を示す斜視図である。
【図５】第２実施例の内視鏡コネクタ用キャップの構成を示す図である。
【図６】第３実施例の内視鏡コネクタ用キャップの構成を示す図である。
【図７】第４実施例の内視鏡コネクタ用キャップの構成を示す一部断面図である。
【図８】第４実施例のキャップの斜視図である。
【符号の説明】
【００２４】
１０…プロセッサ装置、        １１  …  内視鏡、
１４…電気コネクタ、          １５，１６…コネクタ受け、
１８，２８，３４…第１キャップ、
２０，３０，３５…第２キャップ、
２０ａ…環状凹部、        ２５…係合リング部材、
２７…連結部、            ２７ａ…環状凸部、
３２ａ…雌側テープ、      ３２ｂ…雄側テープ、
３６…線状部材、          ３８…キャップ、
３８ａ…第１キャップ部、  ３８ｂ…第２キャップ部。
【図１】
2009183357.tif 000003
【図２】
2009183357.tif 000004
【図３】
2009183357.tif 000005
【図４】
2009183357.tif 000006
【図５】
2009183357.tif 000007
【図６】
2009183357.tif 000008
【図７】
2009183357.tif 000009
【図８】
2009183357.tif 000010